(57)【要約】【課題】計量キャップの装着筒部が装着されるキャップ本体の外周面に内容物が付着するのを防ぐことができ、内容物が固化することにより計量キャップがキャップ本体から外れなくなるのを防止することができる。【解決手段】容器本体２の口部２１に装着され底壁部３５に内容物の注出される注出筒３１が立設された有底筒状のキャップ本体３と、注出筒３１を開閉する計量キャップ４とを有し、計量キャップ４には、計量カップ４１から径方向の外側に向けて突設され、キャップ本体３の内筒部３２に着脱自在に外装される装着筒部４２が備えられ、底壁部３５には、注出筒３１を通して内筒部３２の内側に進入した内容物を容器本体２内に回収する回収孔３５ａが形成され、内筒部３２には、径方向の内側に向けて突出し、内筒部３２の内側からその内周面を伝って上端開口縁に向かう内容物の流れをせき止める堤防突起３６が形成された構成のキャップ１を提供する。【選択図】図１
2015209259.tif 000002
【特許請求の範囲】
【請求項１】
内容物が収容される容器本体の口部に装着されるとともに、底壁部に内容物の注出される注出筒が立設された有底筒状のキャップ本体と、
前記キャップ本体に着脱自在に装着され前記注出筒を開閉する計量キャップと、を有するキャップであって、
前記計量キャップには、有頂筒状の計量カップと、前記計量カップから径方向の外側に向けて突設され、前記キャップ本体の周壁部に着脱自在に外装される装着筒部と、が備えられ、
前記底壁部には、前記注出筒を通して前記周壁部の内側に進入した内容物を前記容器本体内に回収する回収孔が形成され、
前記周壁部には、径方向の内側に向けて突出し、前記周壁部の内側からその内周面を伝って上端開口縁に向かう内容物の流れをせき止める堤防突起が形成されていることを特徴とするキャップ。
【請求項２】
前記堤防突起は、前記周壁部の内周面から径方向に離れるに従い漸次、下方に向けて延在していることを特徴とする請求項１に記載のキャップ。
【請求項３】
前記堤防突起は、周方向に沿って延在するとともに、前記周壁部の内周面との接続部分回りに上下に反転変形可能に形成されていることを特徴とする請求項２に記載のキャップ。
【請求項４】
前記計量カップの下端開口縁には、上方から下方に向かうに従い漸次、径方向の外側に向けて延在し、かつ径方向の厚さが薄くなる先鋭形状に形成されたリップ部が形成されていることを特徴とする請求項１乃至３のいずれか１項に記載のキャップ。
【請求項５】
前記計量カップの下端開口縁には、前記計量カップ内に前記容器本体内の内容物を前記注出筒内を通して注入する際に、前記注出筒の外周面を係止可能な係止部が形成されていることを特徴とする請求項１乃至４のいずれか１項に記載のキャップ。
【発明の詳細な説明】
【技術分野】
【０００１】
本発明は、キャップに関するものである。
【背景技術】
【０００２】
従来から、例えば下記特許文献１で示されるように、内容物が収容される容器本体の口部に装着されるとともに、底壁部に内容物の注出される注出筒が立設された有底筒状のキャップ本体と、キャップ本体に着脱自在に装着され注出筒を開閉する計量キャップと、を有するキャップが知られている。計量キャップには、有頂筒状の計量カップと、計量カップから径方向の外側に向けて突設され、キャップ本体の周壁部に着脱自在に外装される装着筒部と、が備えられている。
キャップ本体の底壁部には、注出筒を通して周壁部の内側に進入した内容物を容器本体内に回収する回収孔が形成されている。
【先行技術文献】
【特許文献】
【０００３】
【特許文献１】特開２０１０−１２６２１４号公報
【発明の概要】
【発明が解決しようとする課題】
【０００４】
しかしながら、上記したキャップでは、前回の注出時において回収孔を通して容器本体内に回収されず、キャップ本体の底壁部上に残った内容物が、今回の注出時に注出筒を通して計量カップ内に容器本体内の内容物を注ぎ入れる際に、キャップ本体の周壁部の内周面を伝って上端開口縁を径方向に跨ぎ、計量キャップの装着筒部が装着されるキャップ本体における外周面に達するおそれがあった。
そして、キャップ本体の外周面に達した内容物が固化することで、計量キャップがキャップ本体から外れなくなるおそれがあった。
【０００５】
本発明は、このような事情に鑑みてなされたものであって、計量キャップの装着筒部が装着されるキャップ本体の外周面に内容物が付着するのを防ぐことができ、内容物が固化することにより計量キャップがキャップ本体から外れなくなるのを防止することができるキャップを提供することを目的とする。
【課題を解決するための手段】
【０００６】
上記の目的を達成するために、この発明は以下の手段を提供している。
本発明に係るキャップは、内容物が収容される容器本体の口部に装着されるとともに、底壁部に内容物の注出される注出筒が立設された有底筒状のキャップ本体と、前記キャップ本体に着脱自在に装着され前記注出筒を開閉する計量キャップと、を有するキャップであって、前記計量キャップには、有頂筒状の計量カップと、前記計量カップから径方向の外側に向けて突設され、前記キャップ本体の周壁部に着脱自在に外装される装着筒部と、が備えられ、前記底壁部には、前記注出筒を通して前記周壁部の内側に進入した内容物を前記容器本体内に回収する回収孔が形成され、前記周壁部には、径方向の内側に向けて突出し、前記周壁部の内側からその内周面を伝って上端開口縁に向かう内容物の流れをせき止める堤防突起が形成されていることを特徴としている。
【０００７】
本発明に係るキャップによれば、注出筒を通して容器本体内の内容物を計量カップ内に注ぎ入れる際に、前回の注出時において回収孔を通して容器本体内に回収されず、キャップ本体の底壁部上に残った内容物が周壁部の内側からその内周面を伝って上端開口縁に向かう。このとき、内容物は周壁部の径方向の内側に向けて突出する堤防突起によってその流れがせき止められるため、周壁部の上端開口縁を径方向に跨いで計量キャップの装着筒部が装着されるキャップ本体の外周面に達するのを防ぐことができる。そのため、キャップ本体の外周面にキャップ本体の周壁部内の内容物が付着するのを防ぐことができる。
したがって、キャップ本体の外周面において内容物が固化することを防ぐことができ、計量キャップがキャップ本体から外れなくなるのを防止することができる。
【０００８】
また、本発明に係るキャップによれば、前記堤防突起は、前記周壁部の内周面から径方向に離れるに従い漸次、下方に向けて延在していることが好ましい。
【０００９】
この場合、堤防突起に付着した内容物を、底壁部に向けて容易に落下させることが可能となり、容器本体を正立姿勢にした保存時において、周壁部の内容物を回収孔より容器本体内に回収し易くなる。
【００１０】
また、本発明に係るキャップによれば、前記堤防突起は、周方向に沿って延在するとともに、前記周壁部の内周面との接続部分回りに上下に反転変形可能に形成されていることが好ましい。
【００１１】
この場合、成形時において周壁部の内周面から径方向に離れるに従い漸次、上方に向けて延在する状態で周壁部と一体成型で堤防突起を作製することができる。そして、堤防突起は、成形後に下側に向けて押し込み反転させることで、周壁部の内周面を伝って上端開口縁に向かう内容物の流れをせき止める堤防突起を形成することができる。
また、堤防突起が下側に反転させた姿勢で保持されるので、堤防突起が底壁部側から上端開口縁に向かう内容物の流れによって変形して、この内容物が堤防突起を超えてしまうのを抑制することができる。
【００１２】
また、本発明に係るキャップによれば、前記計量カップの下端開口縁には、上方から下方に向かうに従い漸次、径方向の外側に向けて延在し、かつ径方向の厚さが薄くなる先鋭形状に形成されたリップ部が形成されていることが好ましい。
【００１３】
この場合には、計量カップ内の内容物をリップ部を通して注出する際の液切れが良くなり、この内容物が、計量カップの外周面を伝って装着筒部に至るのを抑制することができる。これにより、装着筒部に内容物が付着するのを防ぐことができ、計量キャップをキャップ本体に装着したときに、計量キャップがキャップ本体から外れなくなるのをより確実に防ぐことができる。
【００１４】
また、本発明に係るキャップによれば、前記計量カップの下端開口縁には、前記計量カップ内に前記容器本体内の内容物を前記注出筒内を通して注入する際に、前記注出筒の外周面を係止可能な係止部が形成されていることが好ましい。
【００１５】
この場合には、注出筒を通して容器本体内の内容物を計量カップ内に注入する際に、注出筒の外周面を計量カップの係止部に係止させることで、安定した姿勢で注ぐことができ、装着筒部内に注出する内容物が進入するのを防止することができる。
【発明の効果】
【００１６】
本発明に係るキャップによれば、計量キャップの装着筒部が装着されるキャップ本体の外周面に内容物が付着するのを防ぐことができ、内容物が固化することにより計量キャップがキャップ本体から外れなくなるのを防止することができる。
【図面の簡単な説明】
【００１７】
【図１】本発明の実施形態によるキャップの構成を示す側断面図である。
【図２】図１に示すキャップ本体の上面図である。
【図３】図１に示すキャップにおいて、注出筒を通して計量カップに内容物を注ぎ入れる状態を説明する図である。
【図４】他の実施形態によるキャップの構成を示す側断面図である。
【発明を実施するための形態】
【００１８】
以下、本発明に係るキャップの実施形態について図面を参照して説明する。
【００１９】
図１に示すように、本実施形態のキャップ１は、内容物が収容される容器本体２の口部２１に装着されるとともに、底壁部３５に内容物の注出される注出筒３１が立設された有底筒状のキャップ本体３と、キャップ本体３に着脱自在に装着され注出筒３１を開閉する計量キャップ４と、を有している。
【００２０】
なお、本実施形態では、容器本体２の口部２１、キャップ本体３及び計量キャップ４は、それぞれの中心軸線が共通軸上に位置された状態で配設されている。以下、この共通軸をキャップ軸Ｏとし、キャップ軸Ｏに沿う方向を上下方向とし、キャップ軸Ｏに沿って計量キャップ４側を上側、容器本体２側を下側とし、キャップ軸Ｏ方向から見た平面視において、キャップ軸Ｏに直交する方向を径方向、容器軸Ｏ回りに周回する方向を周方向とする。
【００２１】
容器本体２における口部２１の外周面には、第１雄ネジ２２が形成されている。また、口部２１の外周面において、第１雄ネジ２２の下側には、周方向に間隔を開け配される第１回転規制部２１ａが複数形成されている。
【００２２】
キャップ本体３は、キャップ軸Ｏと同軸に配設された内筒部（周壁部）３２及び外筒部３３を有している。
内筒部３２は、口部２１の上側に配されるとともに内径が口部２１の内径と略同等とされた上筒部３２Ａと、上筒部３２Ａの下側に連なり口部２１の径方向の内側に配されるとともに上側から下側へ向かうに従い段階的に縮径するように形成された下筒部３２Ｂと、を有している。ここで、下筒部３２Ｂは、上側から順に１段部３２ｂ、第２段部３２ｃが階段状に形成されている。また、下筒部３２Ｂの上端部分の外周面は、口部２１の内周面に嵌め合わされている。上筒部３２Ａの外周面には、第２雄ネジ３４が形成されている。
【００２３】
下筒部３２Ｂの下端縁には、径方向内側に向けて突出する底壁部３５が形成され、底壁部３５には前記注出筒３１が形成されている。
注出筒３１は、その中心軸がキャップ軸Ｏとほぼ一致するように配設されるとともに、その内側が注出口３１Ａとなっている。
【００２４】
注出筒３１の上端部分は、下側から上側に向かうに従い径方向のうち一方側を向く側面（以下、後側側面という）が、この一方側と反対の他方側（以下、前側側面という）に向けて傾斜している。以下では、キャップ本体３において、径方向のうちキャップ軸Ｏに対して注出口３１Ａ側を前側とし、その反対側を後側とする。また、注出筒３１の後側側面には、注出口３１を、その上下方向の全長にわたって径方向に貫くスリット３１ａ（図２参照）が形成されている。
【００２５】
また、底壁部３５には、注出筒３１を通して内筒部３２の内側に進入した内容物を容器本体２内に回収する回収孔３５ａが形成されている。回収孔３５ａは、図２に示すように、底壁部３５の後側の部分において、スリット３１ａの下端に繋がり略矩形状に開口している。そして、底壁部３５は、前側から後側に向かうに従い漸次、下側に向かって傾斜している。
【００２６】
図１に示すように、注出筒３１の上端は、上筒部３２Ａの上端より上方に位置している。
また、注出筒３１の外周面において前側を向く前側側面には、キャップ軸Ｏ方向に沿って延びる第１係合部３１ｃが形成されている。第１係合部３１ｃは、注出筒３１の外周面から径方向の外側に突出するリブ状に形成されている。第１係合部３１ｃの上端は、注出筒３１の上端より下方に位置している。
この注出筒３１を有するキャップ本体３が装着された容器本体２では、キャップ本体３における前側が下方を向くように傾けられることで、内容物が注出口３１Ａから注出される。
【００２７】
また、外筒部３３は略円筒状をなし、内筒部３２の下筒部３２Ｂの径方向の外側に離間して配されているとともに、外筒部３３の上端部分は、内筒部３２の上筒部３２Ａの下端部分に連結されている。詳しくは、上筒部３２Ａの下端部分には、径方向の外側に向けて突設されたフランジ部３２ａが形成されており、外筒部３３は、このフランジ部３２ａの外周縁部から下側に向けて延設されている。
【００２８】
また、外筒部３３の下端内周面には、板状の第２回転規制部３３ａが周方向に間隔をあけて複数配置されている。第２回転規制部３３ａは、口部２１の第１回転規制部２１ａに噛み合うことにより、キャップ本体３が容器本体２に対し周方向に沿って移動することを規制している。
【００２９】
内筒部３２には、径方向の内側に向けて突出し、内筒部３２の内側からその内周面を伝って上端開口縁に向かう内容物の流れをせき止める堤防突起３６が形成されている。堤防突起３６は、内筒部３２の内周面から径方向に離れるに従い漸次、下方に向けて延在し、且つ周方向に沿って延在するとともに、内筒部３２の内周面との接続部分回りに上下に反転変形可能に形成されている。堤防突起３６は、内筒部３２の上筒部３２Ａの内周面のうち後側を向く前側部分において、周方向に沿って略半周の長さに設けられている。また、堤防突起３６は、周方向の中央部分から両側に向かうに従い漸次、下方に向けて傾斜し、且つ突出長が大きくなっている。
そして、堤防突起３６は、成形時において内筒部３２の内周面から径方向に離れるに従い漸次、上方に向けて延在する状態で内筒部３２と一体成型で作製し、成形後に下方に向けて押し込み反転される。
【００３０】
また、計量キャップ４は、注出筒３１を覆う有頂筒状の計量カップ４１と、計量カップ４１から径方向の外側に向けて突設され、キャップ本体３の内筒部３２に着脱自在に外装される装着筒部４２と、が備えられている。計量カップ４１には、キャップ軸Ｏ方向の中間部から径方向の外側に向けて突設された連結フランジ４３が設けられている。装着筒部４２は、連結フランジ４３の外周縁部から下方に向けて延設されている。そして、これら計量カップ４１、装着筒部４２及び連結フランジ４３がいずれもキャップ軸Ｏと同軸に配設されている。
【００３１】
計量カップ４１の下側部分は、キャップ本体３の内筒部３２における第２段部３２ｃの径方向の内側に配置されている。また、計量カップ４１の径方向の内側には、注出筒３１が配されて計量カップ４１に覆われている。
【００３２】
計量カップ４１の下端開口縁には、上方から下方に向かうに従い漸次、径方向の外側に向けて延在し、かつ径方向の厚さが薄くなる先鋭形状に形成されたリップ部４４が形成されている。
また、計量カップ４１の下端開口縁には、計量カップ４１内に容器本体２内の内容物を注出筒３１内を通して注入する際に、径方向で前記リップ部４４に対向する位置で、注出筒３１の外周面を係止可能な係止部４５が形成されている。係止部４５は、計量カップ４１の下端開口縁を凹状に切り欠いて形成されている。
【００３３】
また、計量カップ４１の下端開口縁は、周方向に沿って係止部４５からリップ部４４に向かうに従い漸次、下側に向かって傾斜している。そして、計量カップ４１は、係止部４５が前側に位置し、リップ部４４が後側に位置した状態で、キャップ本体３に装着される。そのため、計量カップ４１に内容物が注ぎ入れられ下端開口縁を上側に向けた状態で、下端開口縁のうち注ぎ出す部分となるリップ部４４が最も高い位置で視認し易くなるため、計量カップ４１に方向性をもたせることができる。
【００３４】
また、装着筒部４２の内周面には、雌ネジ４６が形成され、この雌ネジ４６がキャップ本体３における上筒部３２Ａの第２雄ネジ３４に螺合している。また、連結フランジ４３の下面には下方に向けて嵌合筒部４３Ａが延設され、この嵌合筒部４３Ａが上筒部３２Ａ内に嵌合されている。
【００３５】
次に、このように構成されたキャップ１を利用した容器本体２の内容物の注出について説明する。
内容物を注出する際は、図１において、まず、計量キャップ４を把持し、この計量キャップ４を周方向に回してキャップ本体３から取り外すとともに、注出筒３１を露出させる。
【００３６】
次いで、図３に示すように、計量カップ４１の中心軸とキャップ本体３のキャップ軸Ｏとを交差させるように配置するとともに、計量カップ４１の開口端における係止部４５を注出筒３１の外周面における第１係合部３１ｃに当接させる。
この状態で、容器本体２を傾けて、注出筒３１の注出口３１Ａから計量カップ４１内に内容物を計量しながら注入した後、この計量された内容物を計量カップ４１から全量注ぎ出す。内容物の注出が完了したら、前述の動作とは逆の手順で計量カップ４１を閉める。
【００３７】
以上説明したように、本実施形態のキャップ１によれば、注出筒３１を通して容器本体２内の内容物を計量カップ４１内に注ぎ入れる際に、前回の注出時において回収孔３５ａを通して容器本体２内に回収されず、キャップ本体３の底壁部３５上に残った内容物が内筒部３２の内側からその内周面を伝って上端開口縁に向かう。このとき、内容物は内筒部３２の径方向の内側に向けて突出する堤防突起３６によってその流れがせき止められるため、内筒部３２の上端開口縁を径方向に跨いでキャップ本体３の第２雄ネジ３４に達するのを防ぐことができる。そのため、第２雄ネジ３４に、キャップ本体３の内筒部３２内の内容物が付着するのを防ぐことが可能となる。
したがって、その第２雄ネジ３４において内容物が固化することを防ぐことができ、計量キャップ４がキャップ本体３から外れなくなるのを防止することができる。
【００３８】
また、本実施形態では、堤防突起３６が内筒部３２の内周面から径方向に離れるに従い漸次、下方に向けて延在しているので、堤防突起３６に付着した内容物を、底壁部３５に向けて容易に落下させることが可能となり、容器本体２を正立姿勢にした保存時において、内筒部３２の内容物を回収孔３５ａより容器本体２内に回収し易くなる。
【００３９】
また、本実施形態のキャップ１では、堤防突起３６が上下に反転変形可能な長さで周方向に沿って延在しているので、成形時において内筒部３２の内周面から径方向に離れるに従い漸次、上方に向けて延在する状態で内筒部３２と一体成型で堤防突起３６を作製することができる。そして、堤防突起３６は、成形後に下側に向けて押し込み反転させることで、内筒部３２の内周面を伝って上端開口縁に向かう内容物の流れをせき止める堤防突起３６を形成することができる。
また、堤防突起３６が下側に反転させた姿勢で保持されるので、堤防突起３６が底壁部３５側から上端開口縁に向かう内容物の流れによって変形して、この内容物が堤防突起３６を超えてしまうのを抑制することができる。
【００４０】
また、本実施形態では、計量カップ４１内の内容物を先鋭形状のリップ部４４を通して注出する際の液切れが良くなり、この内容物が、計量カップ４１の外周面を伝って装着筒部４２に至るのを抑制することができる。これにより、装着筒部４２の雌ネジ４６に内容物が付着するのを防ぐことができ、計量キャップ４をキャップ本体３に装着したときに、計量キャップ４がキャップ本体３から外れなくなるのをより確実に防ぐことができる。
【００４１】
また、本実施形態では、注出筒３１を通して容器本体２内の内容物を計量カップ４１に注ぎ入れる際に、注出筒３１の外周面の第１係合部３１ｃを計量カップ４１の係止部４５に係止させることで、安定した姿勢で注ぐことができ、装着筒部４２内に注出する内容物が進入するのを防止することができる。
しかも、図３に示すように、内容物の注出の際に、注出筒３１の第１係合部３１ｃを計量カップ４１の係止部４５に当接させることができるので、計量カップ４１に対する注出筒３１の位置が固定され、注出筒３１の当接部を支点にして容器本体２を傾けて安定した姿勢で注出を行うことができる。
【００４２】
以上説明したように、本実施形態のキャップ１によれば、計量キャップ４の装着筒部４２が装着されるキャップ本体３の第２雄ネジ３４に、キャップ本体３の内筒部３２内で底壁部３５に残った内容物が付着するのを防ぐことができ、内容物が固化することにより、計量キャップ４がキャップ本体３から外れなくなるのを防止することができる。
【００４３】
なお、本発明の技術範囲は、上記実施形態に限定されるものではなく、本発明の趣旨を逸脱しない範囲において、種々の変更を加えることが可能である。
例えば、上述した実施形態では、図２に示すように堤防突起３６が前側において周方向に沿って略半周の長さで延在する構成となっているが、このような周方向の長さであることに限定されることはない。要は、堤防突起が上下に反転変形可能な長さで周方向に沿って延在していればよいのである。例えば、図４に示す他の実施形態のように、周方向に沿って全周にわたって堤防突起３６が延在するものであっても良い。この場合の堤防突起３６は、周方向に複数（ここでは４分割）の突起部３６Ａ、３６Ａ、…に分割されている。ここで、図４に示す堤防突起３６は、径方向の外側の一端がキャップ本体３の内筒部３２の上端３２ｄに接続されている。
なお、これら突起部３６Ａを形成する分割スリット３６ａの位置は、注出口３１Ａ側となる前側で、例えば３０°〜４５°の範囲を避けた位置であることが好ましい。これにより、容器本体２を傾けて内容物を計量カップ４１に注ぐ際に、内筒部３２の内周面を伝って上端開口縁に向かう内容物が分割スリット３６ａを通過して上端開口縁に達するのを防ぐことができ、周方向に分割された堤防突起３６においても内容物の流れをせき止めることができる。
【００４４】
また、本実施形態では、堤防突起３６は、内筒部３２の内周面から径方向に離れるに従い漸次、下方に向けて延在しているが、水平に延在されていてもかまわない。そして、堤防突起３６の形状も、上記実施形態のように周方向の中央部分から両側に向かうに従い漸次、下方に向けて傾斜し、且つ突出長が大きくなる形状の堤防突起であることに限らない。つまり、堤防突起３６は、周方向に沿って前記傾斜がなく水平であり、突出長も周方向で一定となる形状であってもよい。
【００４５】
さらに、計量カップ４１の形状は、本実施形態に限定されず、リップ部４４や係止部４５を省略することも可能である。
【００４６】
その他、本発明の趣旨を逸脱しない範囲で、上記した実施形態における構成要素を周知の構成要素に置き換えることは適宜可能である。
【符号の説明】
【００４７】
１  キャップ
２  容器本体
３  キャップ本体
４  計量キャップ
３１  注出筒
３１ｃ  第１係合部
３２  内筒部（周壁部）
３２Ａ  上筒部
３２Ｂ  下筒部
３３  外筒部
３４  第２雄ネジ
３５  底壁部
３５ａ  回収孔
３６  堤防突起
４１  計量カップ
４２  装着筒部
４４  リップ部
４５  係止部
Ｏ  キャップ軸
【図１】
2015209259.tif 000003
【図２】
2015209259.tif 000004
【図３】
2015209259.tif 000005
【図４】
2015209259.tif 000006